(57)【特許請求の範囲】
【請求項１】
相手端子が挿入される角筒部を有する端子金具であって、
前記角筒部内に配され、前記相手端子と摺接して撓み変形可能な舌片と、
前記角筒部を構成する底板から切り起こされて片持ち状に延出し、前端は前記舌片の下面に当接可能で前記舌片と共に撓み変形可能な補助ばね片とを備え、
前記補助ばね片の根元部分には、前記底板から前記角筒部の内方へ叩き出された支持台部が形成され、
前記支持台部の幅方向両側部が前記底板に連続していることを特徴とする端子金具。
【請求項２】
前記補助ばね片における前記支持台部の前縁部と連続する部位は、前記角筒部の内方へ向けて叩き出されて、前記支持台部との間で段差をなす段部が形成されていることを特徴とする請求項１に記載の端子金具。
【請求項３】
前記補助ばね片の根元側には幅広部が形成され、前記幅広部から先端にかけての範囲には前記先端へ向けて徐々に幅狭となる幅狭部が形成されていることを特徴とする請求項１に記載の端子金具。
【発明の詳細な説明】
【技術分野】
【０００１】
本発明は端子金具に関するものである。
【背景技術】
【０００２】
特許文献１に開示された端子金具は、角筒部を有し、その内部には舌片が後方へ向けて片持ち状に形成されている。舌片は相手端子であるタブと摺接して下方へ撓み変形する。また、角筒部内において舌片より後方には補助ばね片が配されている。補助ばね片は、後端が固定端、前端を自由端とし、舌片とは延出方向が逆となっている。補助ばね片は舌片が撓み変形する過程で、前端が舌片の下面に当接し舌片と共に下方へ撓み変形する。
【先行技術文献】
【特許文献】
【０００３】
【特許文献１】特開２００４−３６２８３２号公報
【発明の概要】
【発明が解決しようとする課題】
【０００４】
上記した端子金具では、補助ばね片は角筒部の底板から切起こしによって形成されている。具体的には、底板には補助ばね片の前縁から幅方向両側縁にかけての範囲を取り囲むようにして切り込みが入れられており、根元の幅分だけを残して底板と連続している。また、補助ばねは、その幅方向両側縁に沿って入れられた切り込みの終端から僅かに前方に至る長さ領域は、底板の内面とほぼ面一をなし、そこから舌片へ向けて徐々に起立するようにしてある。したがって、補助ばね片の支点となる部位は、この起立が開始される部分の周辺である。
【０００５】
しかし、支点となるべき部位より基端側では、幅方向両側が切り込みによって底板から切り離されているため、補助ばね片が撓んだときに撓みの影響がその根元部分にまで容易に及び、根元部分が底板から外部へ突出してしまう虞があった。このような事態が生じると、突出した根元部がコネクタハウジングのキャビティの底壁と干渉し補助ばねのばね特性が変動してしまうことが懸念される。
【０００６】
本発明は上記のような事情に基づいて完成されたものであって、補助ばね片が撓んでも根元部分が底板から外部に突出しないようにした端子金具を提供することを目的とする。
【課題を解決するための手段】
【０００７】
上記の目的を達成するための手段として、本発明の端子金具は、相手端子が挿入される角筒部を有する端子金具であって、
角筒部内に配され、相手端子と摺接して撓み変形可能な舌片と、
角筒部を構成する底板から切り起こされて片持ち状に延出し、前端は舌片の下面に当接可能で舌片と共に撓み変形可能な補助ばね片とを備え、
補助ばね片の根元部分には、底板から角筒部の内方へ叩き出された支持台部が形成され、支持台部の幅方向両側部が底板に連続している構成であるところに特徴を有する。
【発明の効果】
【０００８】
本発明によれば、補助ばね片の根元部分に配された支持台部は底板から叩き出され、底板から持ち上げられた形態となっているため、補助ばね片が撓み変形しても根元部が底板から外部へ突出してしまうことはない。
【図面の簡単な説明】
【０００９】
【図１】端子金具の側断面図
【図２】端子金具の展開図
【図３】補助ばね片の平面図
【図４】補助ばね片の正面図
【図５】補助ばね片の撓みの前後を示す側断面図
【図６】角筒部内に相手端子が進入した状態を示す側断面図
【発明を実施するための形態】
【００１０】
本発明における好ましい実施の形態を説明する。
（１）本発明の端子金具では、補助ばね片における支持台部の前縁部と連続する部位は、角筒部の内方へ向けて叩き出されて、記支持台部との間で段差をなす段部が形成されることが好ましい。
このような構成によれば、補助ばね片の支点となる部位は段部の周辺になるが、段部が形成されることで補助ばね片の支点部分が強化されるため、剛性が高められて相手端子に対する接触荷重の確保に寄与する。
【００１１】
（２）補助ばね片の根元側には幅広部が形成され、幅広部から先端にかけての範囲には先端へ向けて徐々に幅狭となる幅狭部が形成されるようにしてもよい。
【００１２】
このような構成によれば、補助ばね片の支点側が幅広で、先端にかけて徐々に幅狭となる形状としたため、補助ばね片の支点部分での剛性が高められ、相手端子に対する接触荷重の確保にさらに寄与する。
次に、本発明の端子金具を具体化した実施例について、図面を参照しつ説明する。
【００１３】
＜実施例１＞
本実施例に係る端子金具は、図２に示すように、所定の展開形状に打ち抜かれた金属板材を曲げ、叩き出し等を行って加工したものである。展開状態にある端子金具Ｔはキャリア１に対し多数個が連鎖状に並列した状態で連結されている。
【００１４】
上記した曲げ等の加工がなされた後の端子金具Ｔは、図１に示すように、前部側に前後方向に貫通する角筒部２が形成され、後部側は図２に示すように、電線芯線に圧着されるワイヤバレル６と電線被覆に圧着されるインシュレーションバレル７とが形成される。
【００１５】
角筒部２は、底板３、左右の両側板４、天井板８及び押さえ部９とを備えて構成されている。角筒部２を構成するにあたり、両側板４は底板３の左右両側縁から略直角に折り曲げられ、さらに一方の側板４の上縁から天井板が底板３と平行となるように略直角に折り曲げられる。天井板８には図１に示すように、角筒部２の内方への叩き出しによって天井板側接点部１８が長手方向に沿いつつ所定範囲に亘って形成されている。
【００１６】
天井板８の延出端縁には、図２に示すように、３つの突片２０Ａ〜２０Ｃが張出している。このうち前後両端に位置する突片２０Ａ，２０Ｃは他方の側板４の上端縁において前後の対応位置に設けられた受け部３０Ａ，３０Ｃにそれぞれ上方から重ねられて当接する。また、図２に示すように、他方の側板４の上縁には窓孔３１が開口する押さえ部９が張り出している。押さえ部９は天井板８の延出端縁に重ねられるように折り曲げられて角筒部２の開き止めを行う。
【００１７】
なお、上記した各突片のうち中央に位置する突片２０Ｂは、窓孔３１の下縁に形成される受け部３０Ｂに上方から重ねられて当接する。
【００１８】
図２に示すように、底板３の前縁には幅方向に離間して一対の溝部１０が切り込まれ、その間には相手端子Ｍ（雄端子金具のタブ）の下面と接触する舌片１１が前方へ延出して形成されている。この舌片１１は角筒部２内において後方へ向けて折り返されている。折り返し部分は弧状に湾曲し、舌片１１は折り返し部分を支点として高さ方向へ撓み可能である。図２に示すように、舌片１１のうち折り返し後の長さ領域は、後方へ向けて徐々に幅が狭くなるように形成され幅狭領域１１Ａと、後端部に配され幅方向両側へ張り出す幅広領域１１Ｂとからなっている。また、舌片１１の頂点部分には舌片側接点部１２が上方へ向けて叩き出しによって形成され、相手端子Ｍを天井板側接点部１８との間で挟んだ状態で接触することができる。
【００１９】
図１、図２等に示すように、底板３の長手方向中央部には抜き孔１３が開口している。この抜き孔１３は補助ばね片１５を起立させた後は、端子金具Ｔを図示しないコネクタハウジング内に抜け止めするためのランス（図示しない）が入り込む係止孔として機能する。
【００２０】
図２に示すように、抜き孔１３の開口縁のうち後縁には補助ばね片１５の根元部分が接続されている。補助ばね片１５は、幅方向の中心線を舌片１１と共有し、舌片１１と同様、幅方向の中心線に対して左右対称形状に形成されている。
【００２１】
補助ばね片１５の根元部分における幅は抜き孔１３の開口縁の後縁の幅より幅狭となっている。また、抜き孔１３の開口縁のうち後縁の後部側で後縁と同幅の領域（図２において想像線で囲まれた幅方向に細長い領域）は、角筒部２の内方へ叩き出しが行われて支持台部３５が形成される。この支持台部３５は前端縁を除いて幅方向両側部及び後端縁部が底板３と連続している。支持台部３５の幅方向両側部および後端縁部は底板３から斜めに立ち上がり（図１、図４等参照）、上面は底板３と略平行な平坦面をなしている。
【００２２】
補助ばね片１５はこの支持台部３５の前縁に連続し、前方である舌片１１側へ向けて撓み可能に延出している。但し、支持台部３５は補助ばね片１５が撓み変形しても追従して容易に撓むことがない剛性を有している。
【００２３】
補助ばね片１５は、支持台部３５との接続部位が、図１乃至図３に示すように、ほぼ均一幅の幅広部１５Ａとなり、これより先端側は次第に幅狭となる幅狭部１５Ｂとなっている。幅広部１５Ａはその全幅に亘って上方へ叩き出しがなされて段部３６が形成されている。本実施例においては、段部３６の叩き出し高さは支持台部３５の叩き出し高さよりも高くなっている。補助ばね片１５の幅狭部１５Ｂは舌片１１へ向けて緩い上り勾配をもって延出し、その延出端は全幅に亘って上方へ湾曲し舌片当接部３７が形成されている。補助ばね片１５の延出端は、舌片１１の後端（幅広領域）下面に常に当接するようにしてある（自然状態では僅かに離間し、舌片１１の撓み開始後に当接するようにしてもよい）。
【００２４】
以上のように構成された本実施例によれば、角筒部２内に相手端子Ｍが進入すると、相手端子Ｍは舌片１１の上面に摺接しつつ前進する。舌片１１は、その過程で底板３側へ向けて撓み変形し、これに伴って補助ばね片１５も舌片１１の撓み動作に追従して、段部３６周辺部分を支点として撓み変形する。図６に示すように、相手端子Ｍが角筒部２内に正規深さまで進入すると、相手端子Ｍは天井側接点部１８と舌片側接点部１２とで挟まれた状態で保持される。このとき、相手端子Ｍは舌片１１と補助ばね片１５との双方のばね力に基づいた接触荷重が得られている。
【００２５】
ところで、補助ばね片１５の根元に形成された支持台部３５は、底板３から叩き出され、その幅方向両側部を含んで底板３に連続する構成となっている。すなわち、補助ばね片１５の根元部は支持台部３５によって底板３から持ち上げられているため、補助ばね片１５が撓んでも根元部分が底板３から外部に突出してしまうことがない。仮に、底板３から突出してしまうと、突出部分がキャビティ（図示しない）の底面と干渉してしまい、補助ばね片１５のばね特性が変動してしまう虞があるが、本実施例ではこうした事態が未然に回避されるから、補助ばね片１５には所期のばね特性が確保される。また、本実施例では補助ばね片１５の根元には階段状に叩き出されて段部３６が形成されているから、補助ばね片１５の根元部分の剛性アップが図られている。さらに、段部３６によって補助ばね片１５の根元部分の高さが高められたことから、補助ばね片１５の延出角度を緩やかにすることもできる。さらにまた、補助ばね片１５の根元側を先端側に比べて幅広にしたから、このことも根元部分の剛性アップに寄与する。
【００２６】
また、支持台部３５が形成されたことによって角筒部２の底板３の剛性が高められる、という効果も得られる。
【００２７】
＜他の実施例＞
本発明は上記記述及び図面によって説明した実施例に限定されるものではなく、例えば次のような実施例も本発明の技術的範囲に含まれる。
（１）上記実施例では、補助ばね片１５は支持台部３５から段部３６を形成して、支持台部３５からさらに上方へ持ち上げた後に舌片１１へ向けて斜めに延出するようにしたが、段部３６を設けることなく、支持台部３５から直接、舌片１１へ向けて延出するようにしてもよい。
（２）上記実施例では舌片１１と補助ばね片１５とは互いの延出方向が逆方向であったが、同方向（例えば、舌片１１と補助ばね片１５のいずれもが前方へ向けて延出する形態）とすることもできる。
【符号の説明】
【００２８】
２…角筒部
３…底板
４…側板
１１…舌片
１５…補助ばね片
３５…支持台部
３６…段部
Ｔ…端子金具
Ｍ…相手端子
【図１】
0005803798.tif 000002
【図２】
0005803798.tif 000003
【図３】
0005803798.tif 000004
【図４】
0005803798.tif 000005
【図５】
0005803798.tif 000006
【図６】
0005803798.tif 000007